(57)【要約】【課題】第一排水流路及び第二排水流路を独立して流路を構成して互いの排水が干渉しないようにし、排水の逆流を防ぐ。【解決手段】上方が開口する箱体であって、内部に封水を備える本体部１と、排水が通水する開口部２１を開口し、更に本体部１の開口を蓋する蓋部２と、本体部１側面に構成される内部の排水を排出する排出口１１と、本体部１内に円筒状に壁を備えて内部に排水の一部を貯水するオワン部１２と、円筒状であって、オワン部１２内にその下端が配置されてオワン部１２と協同して封水を形成する防臭パイプ３と、本体部１側面に構成された開口部２１以外からの排水を本体部１内へと流入させる排水枝管１３と、から構成される排水トラップであって、前記蓋部２から下方に向けて垂下する逆流防止壁２２を構成した。【選択図】図３
2014009505.tif 000002
【特許請求の範囲】
【請求項１】
上方が開口する箱体であって、内部に封水を備える本体部１と、
排水が通水する開口部２１を開口し、更に本体部１の開口を蓋する蓋部２と、
本体部１側面に構成される内部の排水を排出する排出口１１と、
本体部１内に円筒状に壁を備えて内部に排水の一部を貯水するオワン部１２と、
円筒状であって、オワン部１２内にその下端が配置されてオワン部１２と協同して封水を形成する防臭パイプ３と、
本体部１側面に構成された開口部２１以外からの排水を本体部１内へと流入させる排水枝管１３と、
から構成される排水トラップであって、
前記蓋部２から下方に向けて垂下する逆流防止壁２２を構成したことを特徴とする排水トラップ。
【請求項２】
前記逆流防止壁２２に排水の流出部分を構成する切り欠き部２２１を構成し、前記蓋部２を本体部１に取り付けた際に該切り欠き部２２１は排出口１１の方向に向くように配置されることを特徴とする前記請求項１に記載の排水トラップ。
【請求項３】
前記オワン部１２は、前記防臭パイプ３が適正箇所に配置された際に必要な封水深を確保できる高さまで立ち上げて構成されることを特徴とする前記請求項１又は請求項２に記載の排水トラップ。
【請求項４】
前記本体部１内部には、開口部２１から流入した排水が排出口１１から排出される第一排水流路７と、排水枝管１３から流入した排水が排出口１１から排出される第二排水流路８とを構成する共に、第二排水流路８を、オワン部１２の外周に配置させ、第二排水流路８の底面を立ち上がらせて封水深確保壁１４としたことによって、第二排水流路８に封水を形成することを特徴とする前記請求項１乃至請求項３のいずれか一つに記載の排水トラップ。
【請求項５】
前記逆流防止壁２２下端と、前記オワン部１２の上端が、略当接していることを特徴とする前記請求項１乃至請求項４のいずれか一つに記載の排水トラップ。
【請求項６】
前記逆流防止壁２２に段差部２２２、オワン部１２の上端に被段差部１２１をそれぞれ構成し、それぞれの段差部２２２と被段差部１２１を係止させて略当接することを特徴とする前記請求項１乃至請求項４のいずれか一つに記載の排水トラップ。
【請求項７】
前記逆流防止壁２２下端側面とオワン部１２の上端側面同士が略当接することを特徴とする前記請求項１乃至請求項４のいずれか一つに記載の排水トラップ。
【発明の詳細な説明】
【技術分野】
【０００１】
本発明は、洗面ボウルや浴室、台所の排水口に取り付けられる、内部に封水を備えて室内側へ異臭や害虫が逆流しないように配置構成される排水トラップに関するものである。
【背景技術】
【０００２】
従来よく知られた排水トラップとしては、例えば図１６、図１７に示した排水トラップがある。
本従来例の排水トラップは、図１６に示すように浴室の排水口に取り付けられる。尚、当該浴室に用いられる排水設備の説明をする。（特許文献１）
浴室は、使用者が体を洗う洗い場パンと、浴槽が載置される浴槽パンとから成る防水パンによって構成され、それぞれの防水パンには排水用の排水口が構成されている。
浴槽パンにはエルボ部材が配置構成され、エルボ部材は排水トラップの排水枝管に管体などを介して接続される。エルボ部材は断面視Ｌ字状の配管部材であって、浴槽内の排水及び、浴槽パン上に発生した排水を排水トラップ側へと排出する。
また洗い場パンの排水口には、本従来例で用いられる排水トラップが配置構成されており、洗い場パン上に発生した排水は排水口を介して排水トラップ内へと排水される。また、前記エルボ部材が排水トラップの排水枝管に接続されている為、エルボ部材内の排水も排水トラップ内へと排水されることとなる。排水トラップ内の排水は、最終的には排出口から下水管へと排水されることとなる。
本従来例の浴室の排水設備に備えられる排水トラップは、本体部と、フランジ部と、蓋部と、排出口と、オワン部と、防臭パイプと、排水枝管と、から構成される。
本体部は、上方が開口する箱体であって、内部に後述するオワン部を備える。
蓋部は、排水が通水する開口部を備え、前記本体部の上方の開口を水密的に蓋をする部材である。この蓋部は、本体部との接続をスピン溶着によって接続している。尚、蓋部開口には、後述するフランジ部をねじ螺合するための雌ねじを刻設する。
フランジ部は、リング状であって、上端に外側方向に向かって突出する鍔を構成し、更に蓋部の開口部にねじ螺合する雄ねじを外周に刻設する部材である。尚、フランジ部の内周面には、後述する防臭パイプが脱着自在に取り付けられる。
排出口は、本体部の側面に一体的に延出して構成される管体であって、本体内部の排水を本体外部へと排出するよう構成される。排出口には下水管が接続され、本体部内部の排水は最終的には下水管へと排水される。
オワン部は、本体部底面から上方に向けて立ちあがって構成される円筒状の壁であって、内部に排水が貯水する。尚、該オワン部には、後述する防臭パイプと協同して封水を形成する。
防臭パイプは、前記フランジ部に着脱自在に取り付けられる円筒状の部材であって、上端にはフランジ部との接続機構が構成される。また、防臭パイプはフランジ部に取り付けられた際に防臭パイプの下端がオワン部内に配置されるとともにオワン部底面から隙間を有して配置される。このようにすることで、オワン部内に封水を備えることができる。
排水枝管は、本体部外側面に一体的に延出して構成される枝管であって、その他の排水流路からの排水を本体部内に排水を流入させる為のものである。尚、本従来例では排水枝管は前記したエルボ部材に管体を介して接続される。
【０００３】
上記の従来例の排水トラップは、以下のように取り付けられる。
予め工場などで洗い場パンの排水口に排水トラップをフランジ部によって取り付け、更に、浴槽パンの排水口にもエルボ部材を取り付けておく。そして排水トラップの排水枝管とエルボ部材は管体によって接続されている。
その後、浴室に浴槽パンと洗い場パンを設置し、浴槽パンに浴槽を載置する。このとき、浴槽の排水口がエルボ部材の排水口の上方に位置するように載置する。その後、適宜エルボ部材に目皿や配管を施し、浴槽と洗い場パンとの境目にエプロンを取り付け施工が完了する。
【０００４】
上記の構成の従来排水トラップは以下のような排水の流れである。
洗い場パン上に排水が発生した際には、洗い場パンの排水口及びフランジ部を介して洗い場パン裏面に取り付けられた排水トラップ内に排水される。排水トラップ内の排水は、防臭パイプを通過し、オワン部内に排水される。また、防臭パイプ下端とオワン部底部の隙間から排水は流れ、オワン部から溢れることとなるが、オワン部から溢れた排水が、最終的には排出口から下水へと排水されることとなる。
また、浴槽内の排水は、浴槽の開口から排水されるが、浴槽パンの排水口の裏面から取り付けたエルボ部材内へと管体、排水口、を介して排水される。
また、浴槽パン上に発生した排水は、排水口を介してエルボ部材内へと排水される。
また、エルボ部材内に排水された排水は、管体を介して排水トラップの排水枝管内へと排水される。排水枝管から排水トラップ内部へと排水される。排水トラップ内部へと排水された排水は、本体部内を通過して排出口から排水されることとなる。排出口から排水された排水は、下水管へと排水されることとなる。
【先行技術文献】
【特許文献】
【０００５】
【特許文献１】特開２０００−０２７２５５号公報
【特許文献２】特開２００３−３１３９１４号公報
【発明の概要】
【発明が解決しようとする課題】
【０００６】
前記した従来例の排水トラップでは以下のような問題があった。
従来の排水トラップでは、洗い場パン上で急激且つ大量に排水が発生した際に、排水トラップの排水性能が追いつかず、排水枝管からエルボ部材側へ排水が逆流することがあり、浴槽パン上に排水が逆流したり、浴槽内へと排水が逆流することがあった。また、浴槽の排水を行う際に、浴槽の排水は一度に大量の排水を行うことから、排水トラップの排水性能が追いつかず、洗い場パンに逆流したり、浴槽パン上に排水が逆流することがあった。
【０００７】
また、例えば図１７（特許文献２）に示す従来例のように、オワン部に切り欠き部が複数構成されているため、排水に逆流が発生した場合に、切り欠き部が複数有る為逆流水がその他の排水経路に合流し、逆流が発生してしまう。
また、切り欠き部が構成されているものの、排出口に対向する位置に切り欠き部が構成されていない為、排水枝管からの排水と洗い場パンからの排水が合流してしまい、互いの排水が干渉して排水の逆流が発生していた。
【課題を解決するための手段】
【０００８】
本発明の排水トラップは、上方が開口する箱体であって、内部に封水を備える本体部１と、排水が通水する開口部２１を開口し、更に本体部１の開口を蓋する蓋部２と、本体部１側面に構成される内部の排水を排出する排出口１１と、本体部１内に円筒状に壁を備えて内部に排水の一部を貯水するオワン部１２と、円筒状であって、オワン部１２内にその下端が配置されてオワン部１２と協同して封水を形成する防臭パイプ３と、本体部１側面に構成された開口部２１以外からの排水を本体部１内へと流入させる排水枝管１３と、から構成される排水トラップであって、前記蓋部２から下方に向けて垂下する逆流防止壁２２を構成したことを特徴とする排水トラップである。
【０００９】
本発明の排水トラップは、前記逆流防止壁２２に排水の流出部分を構成する切り欠き部２２１を構成し、前記蓋部２を本体部１に取り付けた際に該切り欠き部２２１は排出口１１の方向に向くように配置されることを特徴とする前記段落０００８に記載の排水トラップである。
【００１０】
本発明の排水トラップは、前記オワン部１２は、前記防臭パイプ３が適正箇所に配置された際に必要な封水深を確保できる高さまで立ち上げて構成されることを特徴とする前記段落０００８又は段落０００９に記載の排水トラップである。
【００１１】
本発明の排水トラップは、前記本体部１内部には、開口部２１から流入した排水が排出口１１から排出される第一排水流路７と、排水枝管１３から流入した排水が排出口１１から排出される第二排水流路８とを構成する共に、第二排水流路８を、オワン部１２の外周に配置させ、第二排水流路８の底面を立ち上がらせて封水深確保壁１４としたことによって、第二排水流路８に封水を形成することを特徴とする前記段落０００８乃至段落００１０のいずれか一つに記載の排水トラップである。
【００１２】
本発明の排水トラップは、前記逆流防止壁２２下端と、前記オワン部１２の上端が、略当接していることを特徴とする前記段落０００８乃至段落００１１のいずれか一つに記載の排水トラップである。
【００１３】
本発明の排水トラップは、前記逆流防止壁２２に段差部２２２、オワン部１２の上端に被段差部１２１をそれぞれ構成し、それぞれの段差部２２２と被段差部１２１を係止させて略当接することを特徴とする前記段落０００８乃至段落００１１のいずれか一つに記載の排水トラップである。
【００１４】
本発明の排水トラップは、前記逆流防止壁２２下端側面とオワン部１２の上端側面同士が略当接することを特徴とする前記段落０００８乃至段落００１１のいずれか一つに記載の排水トラップである。
【発明の効果】
【００１５】
請求項１に記載の本発明は、蓋部２の開口部２１周縁から下方に向けて垂下する逆流防止壁２２を構成したことから、第一排水流路７と第二排水流路８のそれぞれの排水がほぼ混入することがなく、それぞれの排水流路が独立して排水流路を形成するため、排水の干渉が無く逆流が発生することがない。
請求項２に記載の本発明は、逆流防止壁２２に排水の流出部分を構成する切り欠き部２２１を構成し、前記蓋部２を本体部１に取り付けた際に該切り欠き部２２１は排出口１１の方向に向くように配置したことにより、第一排水流路７の排水がより第二排水流路８に混入することが無く、さらに、第一排水流路７の排水が円滑に排出口１１に排出されるようになるため、排水流量が向上した。
請求項３に記載の本発明は、オワン部１２を前記防臭パイプ３が適正箇所に配置された際に必要な封水深を確保できる高さまで立ち上げて構成したことにより、第一排水流路７に封水を形成することができるようになった。
請求項４に記載の本発明は、本体部１内部には、開口部２１から流入した排水が排出口１１から排出される第一排水流路７と、排水枝管１３から流入した排水が排出口１１から排出される第二排水流路８とを構成する共に、第二排水流路８を、オワン部１２の外周に配置させ、第二排水流路８の底面を立ち上がらせることによって、第二排水流路８に封水を形成したことにより、それぞれ独立に排水流路を形成することができるようになった。
請求項５に記載の本発明は、逆流防止壁２２下端と、前記オワン部１２の上端が、略当接したことにより、それぞれ独立に排水流路を形成することができるようになり、排水の逆流が発生しなくなった。
請求項６に記載の本発明は、逆流防止壁２２に段差部２２２、オワン部１２の上端に被段差部１２１をそれぞれ構成し、それぞれの段差部２２２と被段差部１２１を係止させて略当接したことにより、より隙間を減らすことができ、第一排水流路７と第二排水流路８の排水がそれぞれ混入することがないため、排水の逆流が発生しない。また、接着で逆流防止壁２２とオワン部１２を接続しない場合においてはより隙間を減らすことが出来る。
請求項７に記載の本発明は、逆流防止壁２２下端側面とオワン部１２の上端側面同士が略当接したことにより、より隙間を減らすことができ、第一排水流路７と第二排水流路８の排水がそれぞれ混入することがないため、排水の逆流が発生しない。また、接着で逆流防止壁２２とオワン部１２を接続しない場合においてはより隙間を減らすことが出来る。
【図面の簡単な説明】
【００１６】
【図１】本発明の排水トラップを浴室に施工した際の取り付け状況を示す断面図である。
【図２】本発明の排水トラップをしめす斜視図である。
【図３】本発明の実施例１を示す断面斜視図である。
【図４】本発明の実施例１を示す断面斜視図の分解図である。
【図５】本発明の排水トラップを上面視断面にした際の上面図であり、第一排水流路及び第二排水流路を示す図である。
【図６】本発明の第一排水流路の排水の流れを示す断面斜視図である。
【図７】本発明の第一排水流路の排水の流れを示す断面斜視図である。
【図８】本発明の第二排水流路の排水の流れを示す断面斜視図である。
【図９】本発明の第二排水流路の排水の流れを示す断面斜視図である。
【図１０】本発明の第二排水流路の排水の流れを示す断面斜視図である。
【図１１】本発明の蓋部を示す斜視図である。
【図１２】本発明の実施例２を示す断面斜視図である。
【図１３】本発明の実施例２を示す断面斜視図の分解図である。
【図１４】本発明の実施例３を示す断面斜視図である。
【図１５】本発明の実施例３を示す断面斜視図の分解図である。
【図１６】従来例を示す断面図である。
【図１７】従来例を示す断面図である。
【発明を実施するための形態】
【実施例１】
【００１７】
本実施例の排水トラップは、図１に示すように浴室の排水口に取り付けられる。尚、当該浴室に用いられる排水設備の説明をする。
浴室は、使用者が体を洗う洗い場パン５１と、浴槽９が載置される浴槽パン５２とから成る防水パン５によって構成され、それぞれの防水パン５には排水用の排水口５３が構成されている。
浴槽パン５２にはエルボ部材６が配置構成され、エルボ部材６は排水トラップの排水枝管１３に管体などを介して接続される。エルボ部材６は断面視Ｌ字状の配管部材であって、浴槽９内の排水及び、浴槽パン５２上に発生した排水を排水トラップ側へと排出する。
また洗い場パン５１の排水口５３には、本実施例で用いられる排水トラップが配置構成されており、洗い場パン５１上に発生した排水は排水口５３を介して排水トラップ内へと排水される。また、前記エルボ部材６が排水トラップの排水枝管１３に接続されている為、エルボ部材６内の排水も排水トラップ内へと排水されることとなる。排水トラップ内の排水は、最終的には排出口１１から下水管へと排水されることとなる。
本実施例の浴室の排水設備に備えられる排水トラップは、図１乃至図１１に示すように、第一排水流路７と、第二排水流路８と、本体部１と、フランジ部４と、蓋部２と、逆流防止壁２２と、排出口１１と、オワン部１２と、防臭パイプ３と、排水枝管１３と、分流凸部１５と、から構成される。
第一排水流路７は図５乃至図７の符番７の矢印で示したように以下の流路を指す。後述する洗い場パン５１上に発生した排水は、洗い場パン５１の排水口５３、フランジ部４を介して排水トラップの本体部１内に流入し、防臭パイプ３内部、防臭パイプ３下端を通過してオワン部１２内に流入する。オワン部１２内に流入した排水はオワン部１２から溢れ、逆流防止壁２２下端とオワン部１２上端が当接していない切り欠き部２２１からオワン部１２外へと流出する。最終的には排出口１１から本体外部へと排水されることとなる。この、洗い場パン５１上に発生した排水が流れる流路が第一排水流路７である。
第二排水流路８は、図５及び図８乃至図１０に示すように、浴槽９及び浴槽パン５２から発生した排水が、浴槽パン５２の排水口５３を介してエルボ部材６、管体、排水枝管１３を介して本体内部へと流入し、オワン部１２外周部分を通過して最終的には排出口１１から排水されることとなる。この、浴槽パン５２上の排水及び浴槽９からの排水が流れる流路が第二排水流路８である。また、第二排水流路８はオワン部１２外周に構成されるが、独自に封水を備える。当該封水は、本実施例では第二排水流路８の底部を封水深の高さまで盛り上がらせ、封水深確保壁１４として機能するようにした。尚、第二排水流路８の封水深は、排水枝管１３の上端から、封水深確保壁１４の上端までで封水深を形成している。
本体部１は、上方が開口する箱体であって、内部に後述するオワン部１２を備える。また、本体部１は上面視円形状であるが、図５に示すように、本体部１から排出口１１に向かって傾斜する接線によって接続されている。
蓋部２は、図１１に示すように排水が通水する開口部２１を備え、前記本体部１の上方の開口を水密的に蓋をする部材である。この蓋部２は、本体部１との接続を接着剤によって接続している。尚、蓋部２開口内周面には、後述するフランジ部４とねじ螺合するための雌ねじを内周面に刻設する。
逆流防止壁２２は、図１１に示すように前記蓋部２下面の開口部２１周縁に下方に垂下して構成される逆流防止のための壁面として備えられる。尚、当該逆流防止壁２２は排出口１１に対向する位置に切り欠き部２２１を構成している。
フランジ部４は、リング状であって、上端に外側方向に向かって突出する鍔を構成し、更に蓋部２の開口部２１とねじ螺合する雄ねじを外周に刻設する部材である。尚、フランジ部４の内周面には、後述する防臭パイプ３が脱着自在に取り付けられる。
排出口１１は、本体部１の側面に一体的に延出して構成される管体であって、本体内部の排水を本体外部へと排出するよう構成される。排出口１１には下水管が接続され、本体部１内部の排水は最終的には下水管へと排水される。
オワン部１２は、本体部１底面から上方に向けて立ちあがって構成される円筒状の壁であって、内部に排水が貯水する。尚、該オワン部１２は、後述する防臭パイプ３と協同して封水を形成する。この実施例において、オワン部１２はＪＩＳ規格等で規定されている封水深の高さを最低限備えているが、このときの封水深とは、オワン部１２上端から、防臭パイプ３下端までの高さをいう。また、当該オワン部１２は、図３，図４に示すように、その上端が蓋部２の逆流防止壁２２下端と略当接する構成となっている。このように構成したことで、後述する第二排水流路８からの排水が大量尚かつ一気に排水されたとしても、逆流防止壁２２が蓋部２からオワン部１２上端まで当接している為、第二排水流路８の排水が、第一排水流路７内に流入することはほとんどない。従って、洗い場パン５１上に排水が逆流することはない。
また、洗い場パン５１上に多量の排水が一気に排水された際には、蓋部２から逆流防止壁２２が垂下されて逆流防止壁２２下端とオワン部１２上端が略当接しているので、第一排水流路７の排水は第二排水流路８側へと排水が流れるものである。
防臭パイプ３は、前記フランジ部４に着脱自在に取り付けられる円筒状の部材であって、上端にはフランジ部４との接続機構が構成される。また、防臭パイプ３はフランジ部４に取り付けられた際に防臭パイプ３の下端がオワン部１２内に配置されるとともにオワン部１２底面から隙間を有して配置される。このようにすることで、オワン部１２内に封水を備えることができる。
排水枝管１３は、本体部１外側面に一体的に延出して構成される枝管であって、その他の排水流路からの排水を本体部１内に流入させる為のものであり、楕円もしくは扁平形状の断面形状として構成される。尚、本実施例では排水枝管１３は前記したエルボ部材６に管体を介して接続される。
分流凸部１５は、排水枝管１３から流入した排水を乱流等発生させずにオワン部１２に沿うよう分流させるためのガイドリブであって、排水枝管１３の流入口に対向するように山形上に構成されている。分流凸部１５は、排水枝管１３側から目視した際には三角形状のリブとなるよう構成されている。排水枝管１３から本体内部に流入した排水は、分流凸部１５に当接し、左右方向に分流するため、排水中に乱流が発生することがない。
【００１８】
上記の実施例の排水トラップは、以下のように取り付けられる。
予め工場などで、本体と蓋部２は接着剤によって接続させておく。このとき、図３、図４のように、逆流防止壁２２下端と、オワン部１２の上端部は略当接しており、この箇所は特に接着等されておらず、単に当接しているのみである。逆流防止壁２２とオワン部１２を接着ではなく当接にすることによって、接着の生産性が向上する上、接着剤の液だれ等の問題がない。
また予め工場などで洗い場パン５１の排水口５３に排水トラップをフランジ部４によって取り付け、更に、浴槽パン５２の排水口５３にもエルボ部材６を取り付けておく。また、排水トラップの排水枝管１３とエルボ部材６は予め管体によって接続されている。
その後、浴室に浴槽パン５２と洗い場パン５１を設置し、浴槽パン５２に浴槽９を載置する。このとき、浴槽９の排水口がエルボ部材６の排水口５３の上方に位置するように載置する。その後、適宜エルボ部材６に目皿や配管を施し、浴槽９と洗い場パン５１との境目にエプロンを取り付け施工が完了する。
【００１９】
上記の構成の排水トラップは以下のような排水の流れである。
洗い場パン５１上に排水が発生した際には、第一排水流路７として図６及び図７の矢印よって示すように、洗い場パン５１の排水口５３及びフランジ部４を介して洗い場パン５１裏面に取り付けられた排水トラップ内に排水される。排水トラップ内の排水は、防臭パイプ３を通過し、オワン部１２内に排水される。また、防臭パイプ３下端とオワン部１２底部の隙間から排水は流れ、オワン部１２から溢れることとなるが、オワン部１２から溢れた排水が、最終的には排出口１１から下水へと排水されることとなる。
また、浴槽９内の排水は、浴槽９の開口から排水されるが、第二排水流路８として図８乃至図１０の矢印によって示すように、浴槽パン５２の排水口５３の裏面から取り付けたエルボ部材６内へと管体、排水口５３、を介して排水される。
また、浴槽パン５２上に発生した排水は、第二排水流路８として図８乃至図１０の矢印によって示すように、排水口５３を介してエルボ部材６内へと排水される。
また、エルボ部材６内に排水された排水は、第二排水流路８として、管体を介して排水トラップの排水枝管１３内へと排水される。排水枝管１３から本体内部に流入した排水は、分流凸部１５に当接し、左右方向に分流するため、排水中に乱流が発生することがない。そして本体部１内のオワン部１２外周、封水深確保壁１４、を通過して排出口１１から排水されることとなる。
この、浴槽パン５２上の排水及び浴槽９からの排水が流れる流路が第二排水流路８である。
排出口１１から排水された排水は、下水管へと排水されることとなる。
また、第一排水流路７で多量の排水が急激にあった場合でも、第一排水流路７の排水は逆流防止壁２２によって排水トラップ内部で第二排水流路８に排水が混入しないようになっている為、ほぼ浴槽パン５２や浴槽９側へ排水が逆流せずに円滑に排出口１１側へと排水される。
また、第二排水流路８上で大量且つ急激な排水が発生した場合には、第二排水流路８の排水は逆流防止壁２２によって第一排水流路７内へと流入しないので、洗い場パン５１上に排水が逆流せず円滑に排水されることとなる。このようにして、本実施例では、逆流防止壁２２を構成している為、第一排水流路７及び第二排水流路８のそれぞれの排水がそれぞれの流路に流入しないため、排水の排水機器への逆流を効果的に防止する。
【実施例２】
【００２０】
第二実施例の排水トラップは、図１に示すように浴室の排水口に取り付けられる。尚、当該浴室に用いられる排水設備の説明をする。
浴室は、使用者が体を洗う洗い場パン５１と、浴槽９が載置される浴槽パン５２とから成る防水パン５によって構成され、それぞれの防水パン５には排水用の排水口５３が構成されている。
浴槽パン５２にはエルボ部材６が配置構成され、エルボ部材６は排水トラップの排水枝管１３に管体などを介して接続される。エルボ部材６は断面視Ｌ字状の配管部材であって、浴槽９内の排水及び、浴槽パン５２上に発生した排水を排水トラップ側へと排出する。
また洗い場パン５１の排水口５３には、本実施例で用いられる排水トラップが配置構成されており、洗い場パン５１上に発生した排水は排水口５３を介して排水トラップ内へと排水される。また、前記エルボ部材６が排水トラップの排水枝管１３に接続されている為、エルボ部材６内の排水も排水トラップ内へと排水されることとなる。排水トラップ内の排水は、最終的には排出口１１から下水管へと排水されることとなる。
本実施例の浴室の排水設備に備えられる排水トラップは、図１２及び図１３に示すように第一排水流路７と、第二排水流路８と、本体部１と、フランジ部４と、蓋部２と、逆流防止壁２２と、排出口１１と、オワン部１２と、防臭パイプ３と、排水枝管１３と、分流凸部１５と、から構成される。
第一排水流路７は、以下の流路を指す。後述する洗い場パン５１上に発生した排水は、洗い場パン５１の排水口５３、フランジ部４を介して排水トラップの本体部１内に流入し、防臭パイプ３内部、防臭パイプ３下端を通過してオワン部１２内に流入する。オワン部１２内に流入した排水はオワン部１２から溢れ、逆流防止壁２２下端とオワン部１２上端が当接していない切り欠き部２２１からオワン部１２外へと流出する。最終的には排出口１１から本体外部へと排水されることとなる。この、洗い場パン５１上に発生した排水が流れる流路が第一排水流路７である。
第二排水流路８は、浴槽９及び浴槽パン５２から発生した排水が、浴槽パン５２の排水口５３を介してエルボ部材６、管体、排水枝管１３を介して本体内部へと流入し、オワン部１２外周部分を通過して最終的には排出口１１から排水されることとなる。この、浴槽パン５２上の排水及び浴槽９からの排水が流れる流路が第二排水流路８である。また、第二排水流路８はオワン部１２外周に構成されるが、独自に封水を備える。当該封水は、本実施例では第二排水流路８の底部を封水深の高さまで盛り上がらせ、封水深確保壁１４として機能するようにした。尚、第二排水流路８の封水深は、排水枝管１３の上端から、封水深確保壁１４の上端までで封水深を形成している。
本体部１は、上方が開口する箱体であって、内部に後述するオワン部１２を備える。また、本体部１は上面視円形状であるが、本体部１から排出口１１に向かって傾斜する接線によって接続されている。
蓋部２は、排水が通水する開口部２１を備え、前記本体部１の上方の開口を水密的に蓋をする部材である。この蓋部２は、本体部１との接続を接着剤によって接続している。尚、蓋部２開口内周面には、後述するフランジ部４とねじ螺合するための雌ねじを内周面に刻設する。
逆流防止壁２２は、前記蓋部２下面の開口部２１周縁から下方に垂下して構成される逆流防止のための壁面として備えられる。尚、当該逆流防止壁２２は排出口１１に対向する位置に切り欠き部２２１を構成している。また、本実施例では、図１２及び図１３に示すように、逆流防止壁２２の下端には、高低差を付けた段差部２２２が構成されている。尚、当該段差部２２２は、後述オワン部１２の被段差部１２１に当接するように構成される。
フランジ部４は、リング状であって、上端に外側方向に向かって突出する鍔を構成し、更に蓋部２の開口部２１とねじ螺合する雄ねじを外周に刻設する部材である。尚、フランジ部４の内周面には、後述する防臭パイプ３が脱着自在に取り付けられる。
排出口１１は、本体部１の側面に一体的に延出して構成される管体であって、本体内部の排水を本体外部へと排出するよう構成される。排出口１１には下水管が接続され、本体部１内部の排水は最終的には下水管へと排水される。
オワン部１２は、本体部１底面から上方に向けて立ちあがって構成される円筒状の壁であって、内部に排水が貯水する。尚、該オワン部１２は、後述する防臭パイプ３と協同して封水を形成する。この実施例において、オワン部１２はＪＩＳ規格等で規定されている封水深の高さを最低限備えているが、このときの封水深とは、オワン部１２上端から、防臭パイプ３下端までの高さをいう。また、当該オワン部１２は、図１２及び図１３に示すように、その上端に被段差部１２１を構成し、前記蓋部２の逆流防止壁２２下端に構成された段差部２２２と略当接する構成となっている。このように構成したことで、後述する第二排水流路８からの排水が大量尚かつ一気に排水されたとしても、逆流防止壁２２が蓋部２からオワン部１２上端まで当接している為、第二排水流路８の排水が、第一排水流路７内に流入することはほとんどない。従って、洗い場パン５１上に排水が逆流することはない。
また、洗い場パン５１上に多量の排水が一気に排水された際には、蓋部２から逆流防止壁２２が垂下されて逆流防止壁２２下端とオワン部１２上端が略当接しているので、第一排水流路７の排水は第二排水流路８側へと排水が流れるものである。
防臭パイプ３は、前記フランジ部４に着脱自在に取り付けられる円筒状の部材であって、上端にはフランジ部４との接続機構が構成される。また、防臭パイプ３はフランジ部４に取り付けられた際に防臭パイプ３の下端がオワン部１２内に配置されるとともにオワン部１２底面から隙間を有して配置される。このようにすることで、オワン部１２内に封水を備えることができる。
排水枝管１３は、本体部１外側面に一体的に延出して構成される枝管であって、その他の排水流路からの排水を本体部１内に流入させる為のものであり、楕円もしくは扁平形状の断面形状として構成される。尚、本実施例では排水枝管１３は前記したエルボ部材６に管体を介して接続される。
分流凸部１５は、排水枝管１３から流入した排水を乱流等発生させずにオワン部１２に沿うよう分流させるためのガイドリブであって、排水枝管１３の流入口に対向するように山形上に構成されている。分流凸部１５は、排水枝管１３側から目視した際には三角形状のリブとなるよう構成されている。排水枝管１３から本体内部に流入した排水は、分流凸部１５に当接し、左右方向に分流するため、排水中に乱流が発生することがない。
【００２１】
上記の実施例の排水トラップは、以下のように取り付けられる。
蓋部２と本体部１は予め工場で接続されるが、逆流防止壁２２とオワン部１２の当接に関しては、段差部２２２と被段差部１２１の当接は、図１２、図１３のように、段差部２２２と被段差部１２１の段差を合致するように当接させて、本体部１に蓋部２を接着剤によって接続する。このとき、逆流防止壁２２の段差部２２２と、オワン部１２の被段差部１２１は略当接しており、この箇所は特に接着等されておらず、単に当接しているのみである。逆流防止壁２２とオワン部１２を接着ではなく当接にすることによって、接着の生産性が向上する上、接着剤の液だれ等の問題がない。
また、予め工場などで洗い場パン５１の排水口５３に排水トラップをフランジ部４によって取り付け、更に、浴槽パン５２の排水口５３にもエルボ部材６を取り付けておく。そして排水トラップの排水枝管１３とエルボ部材６は管体によって接続されている。
その後、浴室に浴槽パン５２と洗い場パン５１を設置し、浴槽パン５２に浴槽９を載置する。このとき、浴槽９の排水口がエルボ部材６の排水口５３の上方に位置するように載置する。その後、適宜エルボ部材６に目皿や配管を施し、浴槽９と洗い場パン５１との境目にエプロンを取り付け施工が完了する。
【００２２】
上記の構成の排水トラップは以下のような排水の流れである。
洗い場パン５１上に排水が発生した際には、第一排水流路７として、洗い場パン５１の排水口５３及びフランジ部４を介して洗い場パン５１裏面に取り付けられた排水トラップ内に排水される。排水トラップ内の排水は、防臭パイプ３を通過し、オワン部１２内に排水される。また、防臭パイプ３下端とオワン部１２底部の隙間から排水は流れ、オワン部１２から溢れることとなるが、オワン部１２から溢れた排水が、最終的には排出口１１から下水へと排水されることとなる。
また、浴槽９内の排水は、浴槽９の開口から排水されるが、第二排水流路８として、浴槽パン５２の排水口５３の裏面から取り付けたエルボ部材６内へと管体、排水口５３、を介して排水される。
また、浴槽パン５２上に発生した排水は、第二排水流路８として、排水口５３を介してエルボ部材６内へと排水される。
また、エルボ部材６内に排水された排水は、第二排水流路８として、管体を介して排水トラップの排水枝管１３内へと排水される。排水枝管１３から本体内部に流入した排水は、分流凸部１５に当接し、左右方向に分流するため、排水中に乱流が発生することがない。排水トラップ内部へと排水された排水は、本体部１内のオワン部１２外周、封水深確保壁１４を通過して排出口１１から排水されることとなる。
この、浴槽パン５２上の排水及び浴槽９からの排水が流れる流路が第二排水流路８である。
排出口１１から排水された排水は、下水管へと排水されることとなる。
また、第一排水流路７で多量の排水が急激にあった場合でも、第一排水流路７の排水は逆流防止壁２２によって排水トラップ内部で第二排水流路８に排水が混入しないようになっている為、ほぼ浴槽パン５２や浴槽９側へ排水が逆流せずに円滑に排出口１１側へと排水される。
また、第二排水流路８上で大量且つ急激な排水が発生した場合には、第二排水流路８の排水は逆流防止壁２２によって第一排水流路７内へと流入しないので、洗い場パン５１上に排水が逆流せず円滑に排水されることとなる。このようにして、本実施例では、逆流防止壁２２を構成している為、第一排水流路７及び第二排水流路８のそれぞれの排水がそれぞれの流路に流入しないため、排水の排水機器への逆流を効果的に防止する。
【実施例３】
【００２３】
第三実施例の排水トラップは、図１に示すように浴室の排水口に取り付けられる。尚、当該浴室に用いられる排水設備の説明をする。
浴室は、使用者が体を洗う洗い場パン５１と、浴槽９が載置される浴槽パン５２とから成る防水パン５によって構成され、それぞれの防水パン５には排水用の排水口５３が構成されている。
浴槽パン５２にはエルボ部材６が配置構成され、エルボ部材６は排水トラップの排水枝管１３に管体などを介して接続される。エルボ部材６は断面視Ｌ字状の配管部材であって、浴槽９内の排水及び、浴槽パン５２上に発生した排水を排水トラップ側へと排出する。
また洗い場パン５１の排水口５３には、本実施例で用いられる排水トラップが配置構成されており、洗い場パン５１上に発生した排水は排水口５３を介して排水トラップ内へと排水される。また、前記エルボ部材６が排水トラップの排水枝管１３に接続されている為、エルボ部材６内の排水も排水トラップ内へと排水されることとなる。排水トラップ内の排水は、最終的には排出口１１から下水管へと排水されることとなる。
本実施例の浴室の排水設備に備えられる排水トラップは、図１４又は図１５に示すように第一排水流路７と、第二排水流路８と、本体部１と、フランジ部４と、蓋部２と、逆流防止壁２２と、排出口１１と、オワン部１２と、防臭パイプ３と、排水枝管１３と、分流凸部１５と、から構成される。
第一排水流路７は、以下の流路を指す。後述する洗い場パン５１上に発生した排水は、洗い場パン５１の排水口５３、フランジ部４を介して排水トラップの本体部１内に流入し、防臭パイプ３内部、防臭パイプ３下端を通過してオワン部１２内に流入する。オワン部１２内に流入した排水はオワン部１２から溢れ、逆流防止壁２２下端とオワン部１２上端が当接していない切り欠き部２２１からオワン部１２外へと流出する。最終的には排出口１１から本体外部へと排水されることとなる。この、洗い場パン５１上に発生した排水が流れる流路が第一排水流路７である。
第二排水流路８は、浴槽９及び浴槽パン５２から発生した排水が、浴槽パン５２の排水口５３を介してエルボ部材６、管体、排水枝管１３を介して本体内部へと流入し、オワン部１２外周部分を通過して最終的には排出口１１から排水されることとなる。この、浴槽パン５２上の排水及び浴槽９からの排水が流れる流路が第二排水流路８である。また、第二排水流路８はオワン部１２外周に構成されるが、独自に封水を備える。当該封水は、本実施例では第二排水流路８の底部を封水深の高さまで盛り上がらせ、封水深確保壁１４として機能するようにした。尚、第二排水流路８の封水深は、排水枝管１３の上端から、封水深確保壁１４の上端までで封水深を形成している。
本体部１は、上方が開口する箱体であって、内部に後述するオワン部１２を備える。また、本体部１は上面視円形状であるが、本体部１から排出口１１に向かって傾斜する接線によって接続されている。
蓋部２は、排水が通水する開口部２１を備え、前記本体部１の上方の開口を水密的に蓋をする部材である。この蓋部２は、本体部１との接続を接着剤によって接続している。尚、蓋部２開口内周面には、後述するフランジ部４とねじ螺合するための雌ねじを内周面に刻設する。
逆流防止壁２２は、図１４又は図１５に示すように前記蓋部２裏面の開口部２１周縁から下方に垂下して構成される逆流防止のための壁面として備えられる。尚、当該逆流防止壁２２は排出口１１に対向する位置に切り欠き部２２１を構成している。
フランジ部４は、リング状であって、上端に外側方向に向かって突出する鍔を構成し、更に蓋部２の開口部２１とねじ螺合する雄ねじを外周に刻設する部材である。尚、フランジ部４の内周面には、後述する防臭パイプ３が脱着自在に取り付けられる。
排出口１１は、本体部１の側面に一体的に延出して構成される管体であって、本体内部の排水を本体外部へと排出するよう構成される。排出口１１には下水管が接続され、本体部１内部の排水は最終的には下水管へと排水される。
オワン部１２は、図１４又は図１５に示すように、本体部１底面から上方に向けて立ちあがって構成される円筒状の壁であって、内部に排水が貯水する。尚、該オワン部１２は、後述する防臭パイプ３と協同して封水を形成する。この実施例において、オワン部１２はＪＩＳ規格等で規定されている封水深の高さを最低限備えているが、このときの封水深とは、オワン部１２上端から、防臭パイプ３下端までの高さをいう。また、当該オワン部１２の上端側の外側面には、前記逆流防止壁２２の下端の内側面が略当接する。このように構成したことで、後述する第二排水流路８からの排水が大量尚かつ一気に排水されたとしても、逆流防止壁２２が蓋部２からオワン部１２上端まで当接している為、第二排水流路８の排水が、第一排水流路７内に流入することはほとんどない。従って、洗い場パン５１上に排水が逆流することはない。
また、洗い場パン５１上に多量の排水が一気に排水された際には、蓋部２から逆流防止壁２２が垂下されて逆流防止壁２２下端とオワン部１２上端が略当接しているので、第一排水流路７の排水は第二排水流路８側へと排水が流れるものである。
防臭パイプ３は、前記フランジ部４に着脱自在に取り付けられる円筒状の部材であって、上端にはフランジ部４との接続機構が構成される。また、防臭パイプ３はフランジ部４に取り付けられた際に防臭パイプ３の下端がオワン部１２内に配置されるとともにオワン部１２底面から隙間を有して配置される。このようにすることで、オワン部１２内に封水を備えることができる。
排水枝管１３は、本体部１外側面に一体的に延出して構成される枝管であって、その他の排水流路からの排水を本体部１内に流入させる為のものであり、楕円もしくは扁平形状の断面形状として構成される。尚、本実施例では排水枝管１３は前記したエルボ部材６に管体を介して接続される。
分流凸部１５は、排水枝管１３から流入した排水を乱流等発生させずにオワン部１２に沿うよう分流させるためのガイドリブであって、排水枝管１３の流入口に対向するように山形上に構成されている。分流凸部１５は、排水枝管１３側から目視した際には三角形状のリブとなるよう構成されている。排水枝管１３から本体内部に流入した排水は、分流凸部１５に当接し、左右方向に分流するため、排水中に乱流が発生することがない。
【００２４】
上記の実施例の排水トラップは、以下のように取り付けられる。
蓋部２と本体部１は予め工場で接続されるが、逆流防止壁２２とオワン部１２の当接に関しては、図１４又は図１５に示すように、逆流防止壁２２の下端側内側面とオワン部１２の上端内側面が略当接する。また蓋部２と本体部１は接着剤によって接続されるが、逆流防止壁２２とオワン部１２の当接に関しては接着ではなく単に当接しているのみである。逆流防止壁２２とオワン部１２を接着ではなく当接にすることによって、接着の生産性が向上する上、接着剤の液だれ等の問題がない。
また、予め工場などで洗い場パン５１の排水口５３に排水トラップをフランジ部４によって取り付け、更に、浴槽パン５２の排水口５３にもエルボ部材６を取り付けておく。そして排水トラップの排水枝管１３とエルボ部材６は管体によって接続されている。
その後、浴室に浴槽パン５２と洗い場パン５１を設置し、浴槽パン５２に浴槽９を載置する。このとき、浴槽９の排水口がエルボ部材６の排水口５３の上方に位置するように載置する。その後、適宜エルボ部材６に目皿や配管を施し、浴槽９と洗い場パン５１との境目にエプロンを取り付け施工が完了する。
【００２５】
上記の構成の排水トラップは以下のような排水の流れである。
洗い場パン５１上に排水が発生した際には、第一排水流路７として、洗い場パン５１の排水口５３及びフランジ部４を介して洗い場パン５１裏面に取り付けられた排水トラップ内に排水される。排水トラップ内の排水は、防臭パイプ３を通過し、オワン部１２内に排水される。また、防臭パイプ３下端とオワン部１２底部の隙間から排水は流れ、オワン部１２から溢れることとなるが、オワン部１２から溢れた排水が、最終的には排出口１１から下水へと排水されることとなる。
また、浴槽９内の排水は、浴槽９の開口から排水されるが、第二排水流路８として、浴槽パン５２の排水口５３の裏面から取り付けたエルボ部材６内へと管体、排水口５３、を介して排水される。
また、浴槽パン５２上に発生した排水は、第二排水流路８として、排水口５３を介してエルボ部材６内へと排水される。
また、エルボ部材６内に排水された排水は、第二排水流路８として、管体を介して排水トラップの排水枝管１３内へと排水される。排水枝管１３から排水トラップ内部へと排水される。排水枝管１３から本体内部に流入した排水は、分流凸部１５に当接し、左右方向に分流するため、排水中に乱流が発生することがない。排水トラップ内部へと排水された排水は、本体部１内のオワン部１２外周、封水深確保壁１４を通過して排出口１１から排水されることとなる。
この、浴槽パン５２上の排水及び浴槽９からの排水が流れる流路が第二排水流路８である。
排出口１１から排水された排水は、下水管へと排水されることとなる。
また、第一排水流路７で多量の排水が急激にあった場合でも、第一排水流路７の排水は逆流防止壁２２によって排水トラップ内部で第二排水流路８に排水が混入しないようになっている為、ほぼ浴槽パン５２や浴槽９側へ排水が逆流せずに円滑に排出口１１側へと排水される。
また、第二排水流路８上で大量且つ急激な排水が発生した場合には、第二排水流路８の排水は逆流防止壁２２によって第一排水流路７内へと流入しないので、洗い場パン５１上に排水が逆流せず円滑に排水されることとなる。このようにして、本実施例では、逆流防止壁２２を構成している為、第一排水流路７及び第二排水流路８のそれぞれの排水がそれぞれの流路に流入しないため、排水の排水機器への逆流を効果的に防止する。
【００２６】
前記した実施例のほか、本発明の排水トラップは、特許請求の範囲を越えない範囲で適宜変更は可能である。
例えば、上記実施例では、逆流防止壁２２とオワン部１２を単に当接のみで構成しているが、これを弾性爪や弾性係合等によって係合したり、接着によって接続してもかまわない。この方法であると、逆流防止壁２２とオワン部１２の隙間をより完全に水密化できるため、第一排水流路７と第二排水流路８をより水密的に分離できるため、より逆流防止を達成することが出来る。
また、上記実施例では、封水深確保壁１４を底面を盛り上げて構成しているが、特にこの形状に限定されるものではなく、封水深を形成出来る形状であれば特に問題はない。
【符号の説明】
【００２７】
１      本体部
１１    排出口
１２    オワン部
１２１  被段差部
１３    排水枝管
１４    封水深確保壁
１５    分流凸部
２      蓋部
２１    開口部
２２    逆流防止壁
２２１  切り欠き部
２２２  段差部
３      防臭パイプ
４      フランジ部
５      防水パン
５１    洗い場パン
５２    浴槽パン
５３    排水口
６      エルボ部材
７      第一排水流路
８      第二排水流路
９      浴槽
【図１】
2014009505.tif 000003
【図２】
2014009505.tif 000004
【図３】
2014009505.tif 000005
【図４】
2014009505.tif 000006
【図５】
2014009505.tif 000007
【図６】
2014009505.tif 000008
【図７】
2014009505.tif 000009
【図８】
2014009505.tif 000010
【図９】
2014009505.tif 000011
【図１０】
2014009505.tif 000012
【図１１】
2014009505.tif 000013
【図１２】
2014009505.tif 000014
【図１３】
2014009505.tif 000015
【図１４】
2014009505.tif 000016
【図１５】
2014009505.tif 000017
【図１６】
2014009505.tif 000018
【図１７】
2014009505.tif 000019